(57)【要約】本発明は、素早く伸ばせる逆折り畳み式カメラ用三脚に関し、素早く任意的に引き伸ばし、ワンボタンで縮めることのできる脚体ユニットと、脚体ユニットが軸心を中心に１８０°回転できるようにワンボタンで制御する本体ユニットと、雲台またはカメラを支持する中軸ユニットと、三脚と組み合わせる雲台ユニットと、を含む。本発明の素早く伸ばせる逆折り畳み式三脚において、脚体を素早く引き伸ばすことができ、脚体の伸縮をワンボタンで制御でき、操作が便利である。三脚を１８０°逆転して畳むことができ、畳んだ後の長さを減少させ、且つワンボタンで畳むことができる。使用環境によって、三脚の配置が水平でない場合、雲台の球体を調節することで回転トレイを水平に維持することができるため、回転トレイに設置されるカメラを水平に維持することができる。さらに回転トレイ締付装置によって、カメラを水平方向において３６０°円周運動させることができる。
2015509616.tif 000002
【特許請求の範囲】
【請求項１】
素早く伸ばせる逆折り畳み式カメラ用三脚において、
素早く任意的に引き伸ばし、ワンボタンで縮めることのできる脚体ユニットと、脚体ユニットが軸心を中心に１８０°回転できるようにワンボタンで制御する本体ユニットと、雲台またはカメラを支持する中軸ユニットと、三脚と組み合わせる雲台ユニットと、を含み、
前記脚体ユニットは、直径が次第に小さくなり、且つ互いに連結可能な複数のパイプ材、及び各隣接するパイプ材を連結するための締付装置を含み、
前記本体ユニットは、本体、本体回転軸を中心に１８０°回転でき、且つ脚体に連結する脚台、及び脚体の回転を制限するストップ装置を含むことを特徴とする素早く伸ばせる逆折り畳み式カメラ用三脚。
【請求項２】
前記複数のパイプ材は第１パイプ材、第２パイプ材、第３パイプ材、第４パイプ材、第５パイプ材、及び第６パイプ材からなることを特徴とする請求項１に記載の素早く伸ばせる逆折り畳み式カメラ用三脚。
【請求項３】
隣接するパイプ材の間にストップ手段孔が設置され、連結装置内にストップ手段が設置され、隣接するパイプ材のストップ手段孔の軸心が同一位置に位置する時、ストップ手段が自動的にストップ手段孔内に弾かれることを特徴とする請求項２に記載の素早く伸ばせる逆折り畳み式カメラ用三脚。
【請求項４】
前記第２パイプ材にロックリングが設置され、ロックリングに溝が開設され、開口弾性リングがロックリングの溝内に設置され、
第１パイプ材の末端及び第２パイプ材の上端位置に、いずれも可動ビーズを配置するための孔が開設され、可動ビーズの一端にスプリング、及び第１パイプ材と第２パイプ材の円周方向における運動を制限するパイプ材蓋及びパイプ材後蓋が設置され、可動ビーズ及びスプリングがパイプ材蓋内に設置され、
第５パイプ材と第６パイプ材を連結する締付装置に、さらに脚体全体の引き伸ばしを制御するスイッチ、スプリング、及びスプリングスリーブが設置され、スプリングスリーブが第６パイプ材内に嵌設され、第６パイプ材の移動とともに移動することを特徴とする請求項３に記載の素早く伸ばせる逆折り畳み式カメラ用三脚。
【請求項５】
前記本体ユニットのストップ装置は、本体内に嵌設された嵌設歯、脚台内に設置されたガイドキー挟持ブロック、ガイドキー歯、スイッチ及びスプリング、及び本体と脚台を連結する回転軸、支持パイプ台嵌設部材及びねじを含むことを特徴とする請求項１に記載の素早く伸ばせる逆折り畳み式カメラ用三脚。
【請求項６】
前記嵌設歯が本体内に嵌設され、嵌設歯に２つのストップラックが設置され、対応するガイドキー歯が脚台内に設置され、ガイドキー歯の下端がスプリングと連結され、中央に溝が開設され、且つ１つの斜面が設置され、溝内にスイッチが連結され、前記ガイドキー歯に斜面が設置され、スイッチに、ガイドキー歯の中央溝の斜面に対応する斜面が設置されることを特徴とする請求項５に記載の素早く伸ばせる逆折り畳み式カメラ用三脚。
【請求項７】
前記中軸ユニットは、多段式パイプ材、パイプ材連結材、雲台またはカメラを支持するトレイ、及び連結ねじを含むことを特徴とする請求項１に記載の素早く伸ばせる逆折り畳み式カメラ用三脚。
【請求項８】
前記雲台ユニットは、回転トレイ、球体、左右締付ブロック、回転台、回転トレイ締付装置、及び球体締付装置を含むことを特徴とする請求項１に記載の素早く伸ばせる逆折り畳み式カメラ用三脚。
【請求項９】
前記球体締付装置は、第１締付ハウジング、第２締付ハウジング、締付蓋、及び締付ハンドルを含むことを特徴とする請求項８に記載の素早く伸ばせる逆折り畳み式カメラ用三脚。
【発明の詳細な説明】
【技術分野】
【０００１】
本発明はカメラ用三脚に係り、特に素早く伸ばせる逆（転）折り畳み式カメラ用三脚に係り、撮影機材技術分野に属する。
【背景技術】
【０００２】
カメラ、特にデジタルカメラは人々の日常生活で段々普及されており、日常生活において家族や友人との出来事や興味のあるものをいつでもカメラで便利に撮ることができる。カメラの撮影過程において、撮影する写真または映像の安定さと正確さを保証するために、カメラを三脚に固定する必要がある。従来のカメラ用三脚において、最も小型の三脚でも折り畳んだ後にコンパクトさに欠けており、卓上三脚は高さに欠けるため、ロケには不向きである。したがって、大半の小型デジタルカメラ利用者は三脚を使用しないが、旅行の記念写真などを撮る時に自撮りの必要がある。
【０００３】
現在、従来の三脚はほとんどねじ締付またはレバー締付であり、操作が煩瑣で、且つ畳んだ後の三脚の長さが大きいため、持ち運びが不便である。特許ＺＬ２００９１０１４５６９３．２における脚体の締付方法が摩擦式であり、引き伸ばしが便利で、しかし耐荷重が小さく、小型のデジタルカメラにしか適用できない。
【発明の概要】
【発明が解決しようとする課題】
【０００４】
本発明の目的は、従来のカメラ用三脚の欠陥を克服し、素早く伸ばせる逆折り畳み式カメラ用三脚を提供することで、三脚の脚体を素早く引き伸ばすことが可能で、操作が便利であり、且つ三脚を逆転して折り畳むことが可能であるため、畳んだ後の長さを減少させ、持ち運びに便利である。
【課題を解決するための手段】
【０００５】
本発明の目的及び解決しようとする技術問題は、以下の技術的解決手段を採用することで実現する。本発明により提供する素早く伸ばせる逆折り畳み式カメラ用三脚は、素早く引き伸ばすことのできる脚体ユニットと、脚体が軸心を中心に１８０°回転できるようにする本体ユニットと、雲台またはカメラを支持する中軸ユニットと、三脚と組み合わせる雲台ユニットと、を含む。前記脚体ユニットは、直径が次第に小さくなり、且つ互いに連結可能な複数のパイプ材、及び各隣接するパイプ材を連結するための締付装置を含む。前記本体ユニットは、本体、本体回転軸を中心に１８０°回転でき、且つ脚体に連結する脚台、及び脚体の回転を制限するストップ装置を含む。
【０００６】
本発明実施例による逆折り畳み式カメラ用三脚において、前記複数のパイプ材は第１パイプ材、第２パイプ材、第３パイプ材、第４パイプ材、第５パイプ材、及び第６パイプ材からなる。隣接するパイプ材の間にストップ手段孔が設置され、連結装置内にストップ手段が設置され、隣接するパイプ材のストップ手段孔の軸心が同一位置に位置する時、ストップ手段が自動的にストップ手段孔内に弾かれることで、位置制限の役割を果たす。
【０００７】
本発明実施例による逆折り畳み式カメラ用三脚において、前記第２パイプ材にロックリングが設置され、ロックリングに溝が開設され、開口弾性リングがロックリングの溝内に設置される。第１パイプ材の末端及び第２パイプ材の上端位置に、いずれも可動ビーズを配置するための孔が開設され、可動ビーズの一端にスプリング、及び第１パイプ材と第２パイプ材の円周方向における運動を制限するパイプ材蓋及びパイプ材後蓋が設置され、可動ビーズ及びスプリングがパイプ材蓋内に設置される。第５パイプ材と第６パイプ材を連結する締付装置に、さらに脚体全体の引き伸ばしを制御するスイッチ、スプリング、及びスプリングスリーブが設置され、スプリングスリーブが第６パイプ材内に嵌設され、第６パイプ材の移動とともに移動する。
【０００８】
本発明実施例による逆折り畳み式カメラ用三脚において、前記本体ユニットのストップ装置は、本体内に嵌設された嵌設歯、脚台内に設置されたガイドキー挟持ブロック、ガイドキー歯、スイッチ及びスプリング、及び本体と脚台を連結する回転軸、支持パイプ台嵌設部材及びねじを含む。
【０００９】
本発明実施例による逆折り畳み式カメラ用三脚において、前記嵌設歯が本体内に嵌設され、嵌設歯に２つのストップラックが設置され、対応するガイドキー歯が脚台内に設置され、ガイドキー歯の下端がスプリングと連結され、中央に溝が開設され、且つ１つの斜面が設置され、溝内にスイッチが連結される。前記ガイドキー歯に斜面が設置され、スイッチに、ガイドキー歯の中央溝の斜面に対応する斜面が設置される。
【００１０】
本発明実施例による逆折り畳み式カメラ用三脚において、前記中軸ユニットは、多段式パイプ材、パイプ材連結材、雲台またはカメラを支持するトレイ、及び連結ねじを含む。
【００１１】
本発明実施例による逆折り畳み式カメラ用三脚において、前記雲台ユニットは、回転トレイ、球体、左右締付ブロック、回転台、回転トレイ締付装置、及び球体締付装置を含む。回転トレイ締付装置は、球体の回転に影響せずに回転トレイの締付具合を単独に調節することができる。球体締付装置は、回転トレイの回転に影響せずに球体の締付具合を単独に調節することができる。
【発明の効果】
【００１２】
上記技術的解決手段により、本発明の素早く伸ばせる逆折り畳み式三脚は以下のメリットを有する。
【００１３】
１．脚体を素早く引き伸ばすことができ、脚体の伸縮をワンボタンで制御でき、操作が便利である。
【００１４】
２．三脚を１８０°逆転して畳むことができ、畳んだ後の長さを減少させ、且つワンボタンで畳むことができる。
【００１５】
３．使用環境によって、三脚の配置が水平でない場合、雲台の球体を調節することで回転トレイを水平に維持することができるため、回転トレイに設置されるカメラを水平に維持することができる。さらに回転トレイ締付装置によって、カメラを水平方向において３６０°円周運動させることができる。
【発明を実施するための形態】
【００１６】
本発明の目的を達成するために採用する技術的手段及び効果についてさらに説明するために、以下は図面を参照して本発明の好ましい実施例について説明する。
【００１７】
図１、２、８、９に示すように、本発明の提供する素早く伸ばせる逆折り畳み式カメラ用三脚は、素早く引き伸ばすことのできる脚体ユニット１０と、脚体が軸心を中心に１８０°回転できるようにする本体ユニット２０と、雲台またはカメラを支持する中軸ユニット３０と、三脚と組み合わせる雲台ユニット４０と、を含む。
【００１８】
該脚体ユニット１０は、直径が次第に小さくなり、且つ互いに連結可能な複数のパイプ材、及び各隣接するパイプ材を連結するための締付装置１７、１７’を含み、前記複数のパイプ材は第１パイプ材１１、第２パイプ材１２、第３パイプ材１３、第４パイプ材１４、第５パイプ材１５、及び第６パイプ材１６からなる。該第２パイプ材１２にロックリング１２１が設置され、ロックリング１２１に溝が開設され、開口弾性リング１２２がロックリング１２１の溝内に設置される。該第１パイプ材１１の末端及び第２パイプ材１２の上端位置に、いずれも可動ビーズ１７１を配置するための孔が開設され、可動ビーズ１７１の一端にスプリング１７２、及び第１パイプ材１１と第２パイプ材１２の円周方向における運動を制限するパイプ材蓋１１１及びパイプ材後蓋１１２が設置され、可動ビーズ１７１及びスプリング１７２がパイプ材蓋１１１内に設置される。
【００１９】
第５パイプ材１５と第６パイプ材１６を連結する締付装置１７’に、さらに脚体全体の引き伸ばしを制御するスイッチ１７１’、スプリング１７２’、及びスプリングスリーブ１７３’が設置され、該スプリングスリーブ１７３’が第６パイプ材１６内に嵌設され、第６パイプ材１６の移動とともに移動する。
【００２０】
該本体ユニット２０は、本体２１、脚体の回転を制限するストップ装置２２、及び本体回転軸２１１を中心に１８０°回転でき、且つ脚体に連結する脚台２３を含む。該ストップ装置２２は、本体２１内に嵌設された嵌設歯２２２、脚台２３内に設置されたガイドキー挟持ブロック２２３、２２３’、ガイドキー歯２２４、スイッチ２２５及びスプリング２２６、及び本体２１と脚台２３を連結する回転軸２２７、支持パイプ台嵌設部材２２８及びねじ２２９を含む。
【００２１】
図４ｂに示すように、該中軸ユニット３０は、多段式パイプ材、パイプ材連結材、雲台またはカメラを支持するトレイ、及び連結ねじを含む。
【００２２】
該雲台ユニット４０は、回転トレイ４１、球体４２、左右締付ブロック４３、４３’、回転台４４、回転トレイ締付装置４５、及び球体締付装置４６を含む。該回転トレイ締付装置４５は、球体４２の回転に影響せずに回転トレイ４１の締付具合を単独に調節することができる。該球体締付装置４６は、回転トレイ４１の回転に影響せずに球体４２の締付具合を単独に調節することができる。該球体締付装置４６は、第１締付ハウジング４６１、第２締付ハウジング４６２、締付蓋４６３、及び締付ハンドル４６４を含む。
【００２３】
図３及び図４に示すように、本発明の第１パイプ材１１の末端及び第２パイプ材１２の上端に、いずれも１つの孔が開設され、脚体が引き伸ばされる状態において、可動ビーズ１７１がスプリング１７２の作用力によって、第１パイプ材１１及び第２パイプ材１２のストップ孔内に弾かれ、可動ビーズ１７１の一端が球面状で、もう一端が円柱状であるため、円柱の直面により第１パイプ材１１及び第２パイプ材１２の上下移動が制限される。ほかのパイプ材の連結方式は第１パイプ材１１と第２パイプ材１２の連結方式と同じである。
【００２４】
脚体の最下パイプ材、即ち前記第６パイプ材１６の上端に貫通孔が開設され、スプリングスリーブ１７１’が貫通孔内に嵌設され、スプリングスリーブ１７１’内にスプリング１７２’及び可動ビーズ１７３’が設置される。引き伸ばし状態において、可動ビーズ１７３’がスプリング１７２’により第５パイプ材１５及び第６パイプ材１６のストップ孔内に弾かれることで、脚体全体がロックされてストップ状態になる。スイッチ１７４’を上へ押し、スイッチ１７４’の片側に斜面が設置され、スイッチにより可動ビーズ１７３’がスプリングスリーブ１７１’内に押し入れられることで、第６パイプ材１６のストップ状態が解除され、第６パイプ材１６が第５パイプ材１５内に縮退することができる。第６パイプ材１６が縮退する時、上端が第４パイプ材と第５パイプ材の連結装置の可動ビーズ１７３’を外へ押し出し、スプリング１７２’が圧縮状態になり、第５パイプ材１５と第４パイプ材１４の間のストップ状態が解除され、第５パイプ材が第４パイプ材内に縮退することができる。このように、すべてのパイプ材が図３のような状態に縮退することができる。それによって、スイッチ１７４’のワンボタンで脚体のパイプ材の伸縮を制御することができる。それに第６パイプ材１６が縮退しない状態において、下から上へ順にパイプ材の段数を引き伸ばすことで、脚体のパイプ材の長さを調節することができ、三脚の高さを調節する目的を達成する。
【００２５】
図５に示すように、嵌設歯２２２が本体２２１内に嵌設され、嵌設歯２２３に２つのストップラックが設置され、対応するガイドキー歯２２４が脚台２３内に設置され、ガイドキー歯２２４の下端がスプリング２２６と連結され、中央に溝が開設され、且つ１つの斜面が設置され、溝内にスイッチ２２５が連結される。スイッチ２２５に、ガイドキー歯２２４の中央溝の斜面に対応する斜面が設置される。スイッチ２２５を内側へ押し、ガイドキー歯２２４が下へ運動してスプリング２２６を圧縮し、ガイドキー歯と嵌設歯との係合が外れ、図６ｂに示すように、脚台２３が脚体とともに回転軸２１１を中心に１８０°回転でき、必要のストップ状態に達する時、スイッチ２２５を外し、ガイドキー歯２２４が自動的に戻り、嵌設歯２２２とストップ状態になり、ワンボタンで操作する目的を達成する。且つ図６ａに示すように、本体２１のＧ位置にもストップ部を設置することで、逆折り畳み状態の三脚が外れ難くなる。
【００２６】
図７に示すように、球体締付装置４６が球体４２の締付具合を制御し、球体４２の上端に回転トレイ４１が連結される。回転トレイ締付装置４５が回転トレイの締付具合を制御する。使用環境によって、三脚の配置が水平でない場合、三脚の脚体を調節せずに、雲台の回転トレイにおける水平ビーズ４１１によって回転トレイ４１の水平状態を調節すれば、回転トレイ４１に設置されるカメラを水平に維持することができる。回転トレイ締付装置４５を緩めば、カメラを水平位置において３６０°円周運動させることができる。
【００２７】
上記の記述は本発明の好ましい実施例に過ぎず、本発明に対する形式上の制限ではない。本発明の技術的手段の内容を逸脱しない限り、本発明の技術的本質に基づいて上記実施例に対する簡単な改変、同等な変化や修飾は、皆本発明の技術的手段の範囲に属する。
【図面の簡単な説明】
【００２８】
【図１】本発明がオープン状態における説明図である。
【図２ａ】本発明が畳んだ状態における異なる構造説明図である。
【図２ｂ】本発明が畳んだ状態における異なる構造説明図である。
【図３】本発明の脚体がオープン状態における断面構造説明図である。
【図４ａ】本発明の脚体が畳んだ状態における断面構造説明図である。
【図４ｂ】本発明の中軸ユニットの断面図である。
【図５ａ】本発明の本体ユニットの断面構造説明図である。
【図５ｂ】本発明の本体ユニットのスイッチの説明図である。
【図５ｃ】本発明の本体ユニットのガイドキー歯の構造説明図である。
【図６ａ】本発明の脚体が一定の傾斜角度及び１８０°回転した時の構造説明図である。
【図６ｂ】本発明の脚体が一定の傾斜角度及び１８０°回転した時の構造説明図である。
【図７】本発明の雲台ユニットの構造説明図である。
【図８】本発明の三脚が水平でない状態において雲台を水平に調節する時の説明図である。
【図９】本発明がオープン状態における説明図である。
【符号の説明】
【００２９】
１０：脚体ユニット  １１：第１パイプ材  １１１：パイプ材蓋  １１２：パイプ材後蓋
１２：第２パイプ材  １２１：ロックリング  １２２：開口弾性リングがロックリング
１３：第３パイプ材  １４：第４パイプ材  １５：第５パイプ材  １６：第６パイプ材
１７：締付装置  １７１：可動ビーズ  １７２：スプリング  １７’：締付装置
１７１’：スプリングスリーブ  １７２’：スプリング  １７３’：可動ビーズ
１７４’：スイッチ  ２０：本体ユニット  ２１：本体  ２１１：回転軸
２２：ストップ装置  ２２２：嵌設歯  ２２３、２２３’：ガイドキー挟持ブロック
２２４：ガイドキー歯  ２２５：スイッチ  ２２６：スプリング  ２２７：回転軸
２２８：支持パイプ台嵌設部材  ２２９：ねじ  ２３：脚台  ３０：中軸ユニット
３１：多段式パイプ材  ３２：パイプ材連結材  ３３：トレイ  ３４：連結ねじ
４０：雲台ユニット  ４１：回転トレイ  ４１１：水平ビーズ  ４２：球体
４３、４３’：左右締付ブロック  ４４：回転台  ４５：回転トレイ締付装置
４６：球体締付装置  ４６１：第１締付ハウジング  ４６２：第２締付ハウジング
４６３：締付蓋  ４６４：締付ハンドル
【図１】
2015509616.tif 000003
【図２ａ−２ｂ】
2015509616.tif 000004
【図３】
2015509616.tif 000005
【図４ａ】
2015509616.tif 000006
【図４ｂ】
2015509616.tif 000007
【図５ａ】
2015509616.tif 000008
【図５ｂ】
2015509616.tif 000009
【図５ｃ】
2015509616.tif 000010
【図６ａ】
2015509616.tif 000011
【図６ｂ】
2015509616.tif 000012
【図７】
2015509616.tif 000013
【図８】
2015509616.tif 000014
【図９】
2015509616.tif 000015
【手続補正書】
【提出日】平成26年10月15日(2014.10.15)
【手続補正１】
【補正対象書類名】明細書
【補正対象項目名】全文
【補正方法】変更
【補正の内容】
【発明の詳細な説明】
【技術分野】
【０００１】
本発明はカメラ用三脚に係り、特に素早く伸ばせる逆（転）折り畳み式カメラ用三脚に係り、撮影機材技術分野に属する。
【背景技術】
【０００２】
カメラ、特にデジタルカメラは人々の日常生活で段々普及されており、日常生活において家族や友人との出来事や興味のあるものをいつでもカメラで便利に撮ることができる。カメラの撮影過程において、撮影する写真または映像の安定さと正確さを保証するために、カメラを三脚に固定する必要がある。従来のカメラ用三脚において、最も小型の三脚でも折り畳んだ後にコンパクトさに欠けており、卓上三脚は高さに欠けるため、ロケには不向きである。したがって、大半の小型デジタルカメラ利用者は三脚を使用しないが、旅行の記念写真などを撮る時に自撮りの必要がある。
【０００３】
現在、従来の三脚はほとんどねじ締付またはレバー締付であり、操作が煩瑣で、且つ畳んだ後の三脚の長さが大きいため、持ち運びが不便である。特許ＺＬ２００９１０１４５６９３．２における脚体の締付方法が摩擦式であり、引き伸ばしが便利で、しかし耐荷重が小さく、小型のデジタルカメラにしか適用できない。
【発明の概要】
【発明が解決しようとする課題】
【０００４】
本発明の目的は、従来のカメラ用三脚の欠陥を克服し、素早く伸ばせる逆折り畳み式カメラ用三脚を提供することで、三脚の脚体を素早く引き伸ばすことが可能で、操作が便利であり、且つ三脚を逆転して折り畳むことが可能であるため、畳んだ後の長さを減少させ、持ち運びに便利である。
【課題を解決するための手段】
【０００５】
本発明の目的及び解決しようとする技術問題は、以下の技術的解決手段を採用することで実現する。本発明により提供する素早く伸ばせる逆折り畳み式カメラ用三脚は、素早く引き伸ばすことのできる脚体ユニットと、脚体が軸心を中心に１８０°回転できるようにする本体ユニットと、雲台またはカメラを支持する中軸ユニットと、三脚と組み合わせる雲台ユニットと、を含む。前記脚体ユニットは、直径が次第に小さくなり、且つ互いに連結可能な複数のパイプ材、及び各隣接するパイプ材を連結するための締付装置を含む。前記本体ユニットは、本体、本体回転軸を中心に１８０°回転でき、且つ脚体に連結する脚台、及び脚体の回転を制限するストップ装置を含む。
【０００６】
本発明実施例による逆折り畳み式カメラ用三脚において、前記複数のパイプ材は第１パイプ材、第２パイプ材、第３パイプ材、第４パイプ材、第５パイプ材、及び第６パイプ材からなる。隣接するパイプ材の間にストップ手段孔が設置され、連結装置内にストップ手段が設置され、隣接するパイプ材のストップ手段孔の軸心が同一位置に位置する時、ストップ手段が自動的にストップ手段孔内に弾かれることで、位置制限の役割を果たす。
【０００７】
本発明実施例による逆折り畳み式カメラ用三脚において、前記第２パイプ材にロックリングが設置され、ロックリングに溝が開設され、開口弾性リングがロックリングの溝内に設置される。第１パイプ材の末端及び第２パイプ材の上端位置に、いずれも可動ビーズを配置するための孔が開設され、可動ビーズの一端にスプリング、及び第１パイプ材と第２パイプ材の円周方向における運動を制限するパイプ材蓋及びパイプ材後蓋が設置され、可動ビーズ及びスプリングがパイプ材蓋内に設置される。第５パイプ材と第６パイプ材を連結する締付装置に、さらに脚体全体の引き伸ばしを制御するスイッチ、スプリング、及びスプリングスリーブが設置され、スプリングスリーブが第６パイプ材内に嵌設され、第６パイプ材の移動とともに移動する。
【０００８】
本発明実施例による逆折り畳み式カメラ用三脚において、前記本体ユニットのストップ装置は、本体内に嵌設された嵌設歯、脚台内に設置されたガイドキー挟持ブロック、ガイドキー歯、スイッチ及びスプリング、及び本体と脚台を連結する回転軸、支持パイプ台嵌設部材及びねじを含む。
【０００９】
本発明実施例による逆折り畳み式カメラ用三脚において、前記嵌設歯が本体内に嵌設され、嵌設歯に２つのストップラックが設置され、対応するガイドキー歯が脚台内に設置され、ガイドキー歯の下端がスプリングと連結され、中央に溝が開設され、且つ１つの斜面が設置され、溝内にスイッチが連結される。前記ガイドキー歯に斜面が設置され、スイッチに、ガイドキー歯の中央溝の斜面に対応する斜面が設置される。
【００１０】
本発明実施例による逆折り畳み式カメラ用三脚において、前記中軸ユニットは、多段式パイプ材、パイプ材連結材、雲台またはカメラを支持するトレイ、及び連結ねじを含む。
【００１１】
本発明実施例による逆折り畳み式カメラ用三脚において、前記雲台ユニットは、回転トレイ、球体、左右締付ブロック、回転台、回転トレイ締付装置、及び球体締付装置を含む。回転トレイ締付装置は、球体の回転に影響せずに回転トレイの締付具合を単独に調節することができる。球体締付装置は、回転トレイの回転に影響せずに球体の締付具合を単独に調節することができる。
【発明の効果】
【００１２】
上記技術的解決手段により、本発明の素早く伸ばせる逆折り畳み式三脚は以下のメリットを有する。
【００１３】
１．脚体を素早く引き伸ばすことができ、脚体の伸縮をワンボタンで制御でき、操作が便利である。
【００１４】
２．三脚を１８０°逆転して畳むことができ、畳んだ後の長さを減少させ、且つワンボタンで畳むことができる。
【００１５】
３．使用環境によって、三脚の配置が水平でない場合、雲台の球体を調節することで回転トレイを水平に維持することができるため、回転トレイに設置されるカメラを水平に維持することができる。さらに回転トレイ締付装置によって、カメラを水平方向において３６０°円周運動させることができる。
【発明を実施するための形態】
【００１６】
本発明の目的を達成するために採用する技術的手段及び効果についてさらに説明するために、以下は図面を参照して本発明の好ましい実施例について説明する。
【００１７】
図１、２、３、８、９に示すように、本発明の提供する素早く伸ばせる逆折り畳み式カメラ用三脚は、素早く引き伸ばすことのできる脚体ユニット１０と、脚体が軸心を中心に１８０°回転できるようにする本体ユニット２０と、雲台またはカメラを支持する中軸ユニット３０と、三脚と組み合わせる雲台ユニット４０と、を含む。
【００１８】
該脚体ユニット１０は、直径が次第に小さくなり、且つ互いに連結可能な複数のパイプ材、及び各隣接するパイプ材を連結するための締付装置１７、１７’を含み、前記複数のパイプ材は第１パイプ材１１、第２パイプ材１２、第３パイプ材１３、第４パイプ材１４、第５パイプ材１５、及び第６パイプ材１６からなる。該第２パイプ材１２にロックリング１２１が設置され、ロックリング１２１に溝が開設され、開口弾性リング１２２がロックリング１２１の溝内に設置される。該第１パイプ材１１の末端及び第２パイプ材１２の上端位置に、いずれも可動ビーズ１７１を配置するための孔が開設され、可動ビーズ１７１の一端にスプリング１７２、及び第１パイプ材１１と第２パイプ材１２の円周方向における運動を制限するパイプ材蓋１１１及びパイプ材後蓋１１２が設置され、可動ビーズ１７１及びスプリング１７２がパイプ材蓋１１１内に設置される。
【００１９】
図４aに示すように、第５パイプ材１５と第６パイプ材１６を連結する締付装置１７’に、さらに脚体全体の引き伸ばしを制御するスイッチ１７１’、スプリング１７２’、及びスプリングスリーブ１７３’が設置され、該スプリングスリーブ１７３’が第６パイプ材１６内に嵌設され、第６パイプ材１６の移動とともに移動する。
【００２０】
図５a、５ｂ、５c、６a及び６bに示すように、各本体ユニット２０は、本体２１、脚体の回転を制限するストップ装置２２、及び本体回転軸を中心に１８０°回転でき、且つ脚体に連結する脚台２３を含む。該ストップ装置２２は、本体２１内に嵌設された嵌設歯２２２、脚台２３内に設置されたガイドキー挟持ブロック２２３、２２３’、ガイドキー歯２２４、スイッチ２２５及びスプリング２２６、及び本体２１と脚台２３を連結する回転軸２２７、支持パイプ台嵌設部材２２８及びねじ２２９を含む。
【００２１】
図４ｂに示すように、該中軸ユニット３０は、多段式パイプ材３１、パイプ材連結材３２、雲台またはカメラを支持するトレイ３３、及び連結ねじ３４を含む。
【００２２】
図７に示すように、該雲台ユニット４０は、回転トレイ４１、球体４２、左右締付ブロック４３、４３’、回転台４４、回転トレイ締付装置４５、及び球体締付装置４６を含む。該回転トレイ締付装置４５は、球体４２の回転に影響せずに回転トレイ４１の締付具合を単独に調節することができる。該球体締付装置４６は、回転トレイ４１の回転に影響せずに球体４２の締付具合を単独に調節することができる。該球体締付装置４６は、第１締付ハウジング４６１、第２締付ハウジング４６２、締付蓋４６３、及び締付ハンドル４６４を含む。
【００２３】
図３、図４a及び図４ｂに示すように、本発明の第１パイプ材１１の末端及び第２パイプ材１２の上端に、いずれも１つの孔が開設され、脚体が引き伸ばされる状態において、可動ビーズ１７１がスプリング１７２の作用力によって、第１パイプ材１１及び第２パイプ材１２のストップ孔内に弾かれ、可動ビーズ１７１の一端が球面状で、もう一端が円柱状であるため、円柱の直面により第１パイプ材１１及び第２パイプ材１２の上下移動が制限される。ほかのパイプ材の連結方式は第１パイプ材１１と第２パイプ材１２の連結方式と同じである。
【００２４】
脚体の最下パイプ材、即ち前記第６パイプ材１６の上端に貫通孔が開設され、スプリングスリーブ１７１’が貫通孔内に嵌設され、スプリングスリーブ１７１’内にスプリング１７２’及び可動ビーズ１７３’が設置される。引き伸ばし状態において、可動ビーズ１７３’がスプリング１７２’により第５パイプ材１５及び第６パイプ材１６のストップ孔内に弾かれることで、脚体全体がロックされてストップ状態になる。スイッチ１７４’を上へ押し、スイッチ１７４’の片側に斜面が設置され、スイッチにより可動ビーズ１７３’がスプリングスリーブ１７１’内に押し入れられることで、第６パイプ材１６のストップ状態が解除され、第６パイプ材１６が第５パイプ材１５内に縮退することができる。第６パイプ材１６が縮退する時、上端が第４パイプ材と第５パイプ材の連結装置の可動ビーズ１７３’を外へ押し出し、スプリング１７２’が圧縮状態になり、第５パイプ材１５と第４パイプ材１４の間のストップ状態が解除され、第５パイプ材が第４パイプ材内に縮退することができる。このように、すべてのパイプ材が図３のような状態に縮退することができる。それによって、スイッチ１７４’のワンボタンで脚体のパイプ材の伸縮を制御することができる。それに第６パイプ材１６が縮退しない状態において、下から上へ順にパイプ材の段数を引き伸ばすことで、脚体のパイプ材の長さを調節することができ、三脚の高さを調節する目的を達成する。
【００２５】
図５a、５ｂ、５c及び６bに示すように、嵌設歯２２２が本体２１内に嵌設され、嵌設歯２２２に２つのストップラックが設置され、対応するガイドキー歯２２４が脚台２３内に設置され、ガイドキー歯２２４の下端がスプリング２２６と連結され、中央に溝が開設され、且つ１つの斜面が設置され、溝内にスイッチ２２５が連結される。スイッチ２２５に、ガイドキー歯２２４の中央溝の斜面に対応する斜面が設置される。スイッチ２２５を内側へ押し、ガイドキー歯２２４が下へ運動してスプリング２２６を圧縮し、ガイドキー歯と嵌設歯との係合が外れ、図６ｂに示すように、脚台２３が脚体とともに回転軸を中心に１８０°回転でき、必要のストップ状態に達する時、スイッチ２２５を外し、ガイドキー歯２２４が自動的に戻り、嵌設歯２２２とストップ状態になり、ワンボタンで操作する目的を達成する。且つ図６ａに示すように、本体２１のＧ位置にもストップ部を設置することで、逆折り畳み状態の三脚が外れ難くなる。
【００２６】
図７に示すように、球体締付装置４６が球体４２の締付具合を制御し、球体４２の上端に回転トレイ４１が連結される。回転トレイ締付装置４５が回転トレイの締付具合を制御する。使用環境によって、三脚の配置が水平でない場合、三脚の脚体を調節せずに、雲台の回転トレイにおける水平ビーズ４１１によって回転トレイ４１の水平状態を調節すれば、回転トレイ４１に設置されるカメラを水平に維持することができる。回転トレイ締付装置４５を緩めば、カメラを水平位置において３６０°円周運動させることができる。
【００２７】
上記の記述は本発明の好ましい実施例に過ぎず、本発明に対する形式上の制限ではない。本発明の技術的手段の内容を逸脱しない限り、本発明の技術的本質に基づいて上記実施例に対する簡単な改変、同等な変化や修飾は、皆本発明の技術的手段の範囲に属する。
【図面の簡単な説明】
【００２８】
【図１】本発明がオープン状態における説明図である。
【図２ａ】本発明が畳んだ状態における異なる構造説明図である。
【図２ｂ】本発明が畳んだ状態における異なる構造説明図である。
【図３】本発明の脚体がオープン状態における断面構造説明図である。
【図４ａ】本発明の脚体が畳んだ状態における断面構造説明図である。
【図４ｂ】本発明の中軸ユニットの断面図である。
【図５ａ】本発明の本体ユニットの断面構造説明図である。
【図５ｂ】本発明の本体ユニットのスイッチの説明図である。
【図５ｃ】本発明の本体ユニットのガイドキー歯の構造説明図である。
【図６ａ】本発明の脚体が一定の傾斜角度及び１８０°回転した時の構造説明図である。
【図６ｂ】本発明の脚体が一定の傾斜角度及び１８０°回転した時の構造説明図である。
【図７】本発明の雲台ユニットの構造説明図である。
【図８】本発明の三脚が水平でない状態において雲台を水平に調節する時の説明図である。
【図９】本発明がオープン状態における説明図である。
【符号の説明】
【００２９】
１０：脚体ユニット  １１：第１パイプ材  １１１：パイプ材蓋  １１２：パイプ材後蓋
１２：第２パイプ材  １２１：ロックリング  １２２：開口弾性リングがロックリング
１３：第３パイプ材  １４：第４パイプ材  １５：第５パイプ材  １６：第６パイプ材
１７：締付装置  １７１：可動ビーズ  １７２：スプリング  １７’：締付装置
１７１’：スプリングスリーブ  １７２’：スプリング  １７３’：可動ビーズ
１７４’：スイッチ  ２０：本体ユニット  ２１：本体  ２２：ストップ装置  ２２２：嵌設歯  ２２３、２２３’：ガイドキー挟持ブロック
２２４：ガイドキー歯  ２２５：スイッチ  ２２６：スプリング  ２２７：回転軸
２２８：支持パイプ台嵌設部材  ２２９：ねじ  ２３：脚台  ３０：中軸ユニット
３１：多段式パイプ材  ３２：パイプ材連結材  ３３：トレイ  ３４：連結ねじ
４０：雲台ユニット  ４１：回転トレイ  ４１１：水平ビーズ  ４２：球体
４３、４３’：左右締付ブロック  ４４：回転台  ４５：回転トレイ締付装置
４６：球体締付装置  ４６１：第１締付ハウジング  ４６２：第２締付ハウジング
４６３：締付蓋  ４６４：締付ハンドル
【国際調査報告】
2015509616.tif 000016
2015509616.tif 000017
2015509616.tif 000018
2015509616.tif 000019
2015509616.tif 000020
2015509616.tif 000021